(57)【特許請求の範囲】
【請求項１】
光学素子が設けられた基板と、該基板が設置されたピックアップベースとを有し、
前記ピックアップベースに、前記基板の一部と係合する係合手段を設け、
前記基板の一部が前記係合手段と係合した状態で、前記係合箇所から所定距離離間した位置において該基板が前記ピックアップベースに固定されている光ピックアップであって、
前記係合手段は、前記ピックアップベースに一体的に形成され、前記基板の前記ピックアップベースと反対側の面と係合する第１の係合片および第２の係合片と、
前記ピックアップベースに一体的に形成され、前記第１の係合片と前記第２の係合片の間に位置し、前記基板の前記ピックアップベース側の面に当接する少なくとも１つの突起とを有し、
前記第１の係合片および前記第２の係合片は、それぞれ、前記基板の前記ピックアップベースと反対側の面に係合し、前記突起は、前記基板の前記ピックアップベース側の面に当接し、これにより前記基板の一端側が前記ピックアップベースに支持された状態で、前記基板は、その他端側において前記ピックアップベースに固定されていることを特徴とする光ピックアップ。
【請求項２】
前記光学素子は、光ディスクからの反射光を受光する受光素子である請求項１に記載の光ピックアップ。
【請求項３】
可動部に、光ディスクからの反射光を集光する対物レンズが設置されたアクチュエータと、
前記アクチュエータを支持するアクチュエータベースと、
前記アクチュエータベースを支持し、ガイドロッドに沿って往復動自在に設けられたピックアップベースと、
前記ピックアップベースの前記アクチュエータベースと反対側または前記ピックアップベースの側部に設置され、前記対物レンズにより集光された光を受光する受光素子が実装された基板とを有し、
前記ピックアップベースに、前記基板の一部と係合する係合手段を設け、
前記基板の一部が前記係合手段と係合した状態で、前記係合箇所から所定距離離間した位置において該基板が前記ピックアップベースに固定されている光ピックアップであって、
前記係合手段は、前記ピックアップベースに一体的に形成され、前記基板の前記ピックアップベースと反対側の面と係合する第１の係合片および第２の係合片と、
前記ピックアップベースに一体的に形成され、前記第１の係合片と前記第２の係合片の間に位置し、前記基板の前記ピックアップベース側の面に当接する少なくとも１つの突起とを有し、
前記第１の係合片および前記第２の係合片は、それぞれ、前記基板の前記ピックアップベースと反対側の面に係合し、前記突起は、前記基板の前記ピックアップベース側の面に当接し、これにより前記基板の一端側が前記ピックアップベースに支持された状態で、前記基板は、その他端側において前記ピックアップベースに固定されていることを特徴とする光ピックアップ。
【請求項４】
前記突起は、所定距離離間して複数設けられている請求項１ないし３のいずれかに記載の光ピックアップ。
【請求項５】
前記基板は、前記ピックアップベースの外側に露出して設置されている請求項１ないし４のいずれかに記載の光ピックアップ。
【請求項６】
前記基板は、前記ピックアップベースの底面に設置されており、
前記第１の係合片および前記第２の係合片は、それぞれ、前記ピックアップベースの底面側に一体的に形成された係合爪である請求項１ないし５のいずれかに記載の光ピックアップ。
【請求項７】
前記基板の前記ピックアップベースへの固定は、ネジ止めでなされている請求項１ないし６のいずれかに記載の光ピックアップ。
【発明の詳細な説明】
【０００１】
【発明の属する技術分野】
本発明は、光ピックアップに関する。
【０００２】
【従来の技術】
パーソナルコンピュータ等に装備されるＣＤ−ＲＯＭドライブ等の各種光ディスク装置には、光ピックアップが搭載されている。
【０００３】
光ピックアップは、ピックアップベースを有し、このピックアップベースには、フォトダイオードが実装された基板（ＰＤ用基板）が設置されている。
【０００４】
前記ＰＤ用基板は、３本の螺子、フォトダイオードホルダー、フォトダイオードバネおよびフォトダイオードカバー等の部材で取り付けられている。
【０００５】
しかしながら、前記従来の光ピックアップでは、ＰＤ用基板が非常に多くの部材で取り付けられており、また、ＰＤ用基板を取り付ける際、３箇所をネジ止めする必要があるので、ＰＤ用基板の取り付け作業に手間がかかるとともに、長時間要する。
【０００６】
また、ＰＤ用基板の取り付けの際は、フォトダイオード（ＰＤ用基板）の位置や姿勢の調整が行われるが、ネジ止めの箇所が３箇所あるので、その調整にも手間がかかるとともに、長時間要する。
【０００７】
【発明が解決しようとする課題】
本発明の目的は、部品点数が少なく、構造が簡易であり、かつ、組み立て作業が容易な光ピックアップを提供することにある。
【０００８】
【課題を解決するための手段】
このような目的は、下記（１）〜（７）の本発明により達成される。
【０００９】
（１）  光学素子が設けられた基板と、該基板が設置されたピックアップベースとを有し、
前記ピックアップベースに、前記基板の一部と係合する係合手段を設け、
前記基板の一部が前記係合手段と係合した状態で、前記係合箇所から所定距離離間した位置において該基板が前記ピックアップベースに固定されている光ピックアップであって、
前記係合手段は、前記ピックアップベースに一体的に形成され、前記基板の前記ピックアップベースと反対側の面と係合する第１の係合片および第２の係合片と、
前記ピックアップベースに一体的に形成され、前記第１の係合片と前記第２の係合片の間に位置し、前記基板の前記ピックアップベース側の面に当接する少なくとも１つの突起とを有し、
前記第１の係合片および前記第２の係合片は、それぞれ、前記基板の前記ピックアップベースと反対側の面に係合し、前記突起は、前記基板の前記ピックアップベース側の面に当接し、これにより前記基板の一端側が前記ピックアップベースに支持された状態で、前記基板は、その他端側において前記ピックアップベースに固定されていることを特徴とする光ピックアップ。
【００１０】
（２）  前記光学素子は、光ディスクからの反射光を受光する受光素子である上記（１）に記載の光ピックアップ。
【００１１】
（３）  可動部に、光ディスクからの反射光を集光する対物レンズが設置されたアクチュエータと、
前記アクチュエータを支持するアクチュエータベースと、
前記アクチュエータベースを支持し、ガイドロッドに沿って往復動自在に設けられたピックアップベースと、
前記ピックアップベースの前記アクチュエータベースと反対側または前記ピックアップベースの側部に設置され、前記対物レンズにより集光された光を受光する受光素子が実装された基板とを有し、
前記ピックアップベースに、前記基板の一部と係合する係合手段を設け、
前記基板の一部が前記係合手段と係合した状態で、前記係合箇所から所定距離離間した位置において該基板が前記ピックアップベースに固定されている光ピックアップであって、
前記係合手段は、前記ピックアップベースに一体的に形成され、前記基板の前記ピックアップベースと反対側の面と係合する第１の係合片および第２の係合片と、
前記ピックアップベースに一体的に形成され、前記第１の係合片と前記第２の係合片の間に位置し、前記基板の前記ピックアップベース側の面に当接する少なくとも１つの突起とを有し、
前記第１の係合片および前記第２の係合片は、それぞれ、前記基板の前記ピックアップベースと反対側の面に係合し、前記突起は、前記基板の前記ピックアップベース側の面に当接し、これにより前記基板の一端側が前記ピックアップベースに支持された状態で、前記基板は、その他端側において前記ピックアップベースに固定されていることを特徴とする光ピックアップ。
【００１２】
（４）  前記突起は、所定距離離間して複数設けられている上記（１）ないし（３）のいずれかに記載の光ピックアップ。
【００１３】
（５）  前記基板は、前記ピックアップベースの外側に露出して設置されている上記（１）ないし（４）のいずれかに記載の光ピックアップ。
【００１４】
（６）  前記基板は、前記ピックアップベースの底面に設置されており、
前記第１の係合片および前記第２の係合片は、それぞれ、前記ピックアップベースの底面側に一体的に形成された係合爪である上記（１）ないし（５）のいずれかに記載の光ピックアップ。
【００１５】
（７）  前記基板の前記ピックアップベースへの固定は、ネジ止めでなされている上記（１）ないし（６）のいずれかに記載の光ピックアップ。
【００１７】
【発明の実施の形態】
以下、本発明の光ピックアップを添付図面に示す好適実施形態に基づいて詳細に説明する。
【００１８】
図１および図２は、本発明の光ピックアップの第１実施形態を示す斜視図、図３は、図１および図２に示す光ピックアップの係合手段および基板を示す側面図である。
【００１９】
これらの図に示すように、光ピックアップ（光学ヘッド）１は、ピックアップベース（光学ベース）２と、アクチュエータベース３と、ダンパーベース４と、アクチュエータ５と、４本のサスペンションワイヤ（サスペンションバネ）７とを有している。
【００２０】
ピックアップベース２は、その中央部にアクチュエータベース３およびダンパーベース４の下部を収納する空間（図示せず）を有しており、その両端部には、それぞれ、光ディスク装置（光ディスクを記録および／または再生する装置）に設置されたガイドロッド（図示せず）に係合する案内部２８および２９が形成されている。
【００２１】
ピックアップベース２は、案内部２８および２９がそれぞれ対応するガイドロッドに係合し、これらのガイドロッドに沿って光ディスクの半径方向に往復動自在に設置されている。
【００２２】
本発明において、光ディスクとは、ＣＤ、ＣＤ−ＲＯＭ、ＣＤ−Ｒ、ＣＤ−ＲＷ、ＤＶＤ、ＤＶＤ−ＲＯＭ、ＤＶＤ−Ｒ、ＤＶＤ−ＲＡＭ等の通常の光ディスク（狭義の光ディスク）の他に、光磁気ディスクをも含む概念である。
【００２３】
アクチュエータベース３とダンパーベース４とは、一体的に形成されている。アクチュエータベース３およびダンパーベース４の一体化物は、その下部がピックアップベース２の空間に収納された状態で、ピックアップベース２に支持されている。
【００２４】
アクチュエータ５は、固定部５ａと可動部５ｂとで構成されている。
【００２５】
固定部５ａは、ヨーク５１と、これに接合された永久磁石５２とで構成され、これらは、アクチュエータベース３に固定的に支持されている。
【００２６】
一方、アクチュエータ５の可動部５ｂは、レンズ支持部５３１およびコイル支持部を有するレンズホルダ５３と、レンズホルダ５３のレンズ支持部５３１に支持された対物レンズ（集光レンズ）５４と、レンズホルダ５３のコイル支持部に巻き付けられたトラッキングコイル５５およびフォーカシングコイル５６とで構成されている。
【００２７】
この可動部５ｂは、ダンパーベース４に、４本のサスペンションワイヤ７を介して変位可能に支持されている。なお、サスペンションワイヤ７は、トラッキングコイル５５およびフォーカシングコイル５６に通電するための電線（導体）として機能する。
【００２８】
トラッキングコイル５５への通電により、対物レンズ５４（可動部５ｂ）は、光ディスクの半径方向（トラッキング方向）に移動し、フォーカシングコイル５６への通電により、対物レンズ５４（可動部５ｂ）は、対物レンズ５４の光軸方向（フォーカシング方向）に移動する。
【００２９】
前述したピックアップベース２のアクチュエータベース３の図１中下側の所定の位置には、光ディスクへ照射するレーザ光を発する図示しないレーザダイオード（発光部）が設置されている。
【００３０】
また、図２に示すように、ピックアップベース２のアクチュエータベース３と反対側、すなわち、ピックアップベース２の底面２１には、基板８がピックアップベース２の外側に露出して設置されている。
【００３１】
この基板８には、光ディスクからの反射光を受光するフォトダイオード（受光素子）９が実装されている。フォトダイオード９の受光面は、対物レンズ５４側（図２中下側）を向いている。
【００３２】
前記ピックアップベース２の前記フォトダイオード９に対応する位置には、一端が前述したダンパーベース４の下部が収納されている空間に連通し、他端が底面２１に開放した図示しない孔（開口）が形成されている。光ディスクからの反射光は、この孔を通過して、フォトダイオード９の受光面に到達する。
【００３３】
また、図２および図３に示すように、底面２１の辺２１１の両端の角部には、基板８の端部と係合する略Ｌ字状の第１の係合爪（第１の係合片）２２および第２の係合爪（第２の係合片）２３が、アクチュエータベース３と反対側（図３中上側）に向って立設されている。各係合爪２２および２３は、それぞれ、ピックアップベース２に一体的に形成されている。
【００３４】
また、底面２１の係合爪２２と係合爪２３の間、すなわち、底面２１の辺２１１の中央部には、基板８の端部に当接する突起２４が、アクチュエータベース３と反対側（図３中上側）に向って立設されている。この突起２４は、ピックアップベース２に一体的に形成されている。
【００３５】
基板８の一端側は、同一直線上に配置された前記係合爪２２、２３および突起２４により、支持されている。すなわち、係合爪２２および２３は、それぞれ、基板８のアクチュエータベース３（ピックアップベース２）と反対側の面８１に係合し、突起２４は、基板８のアクチュエータベース３（ピックアップベース２）側の面８２に当接し、これにより、基板８の一端側は、ピックアップベース２に支持される。
【００３６】
なお、前述した係合爪２２、２３および突起２４により、係合手段が構成される。
【００３７】
また、基板８は、その一端側がピックアップベース２に支持された状態で、他端側（係合箇所から所定距離離間した位置）においてピックアップベース２にネジ止めされている。
【００３８】
図２に示すように、基板８の後述する螺子孔（雌螺子）２５に対応する位置、すなわち、基板８の前記係合爪２２、２３および突起２４で支持されている部分と反対側の端部８３には、螺子（雄螺子）１１が挿入される長孔（貫通孔）８４が形成されている。
【００３９】
この長孔８４の長さＬは、螺子１１の軸部の直径より大きい。これにより、基板８の位置や姿勢の調整（位置調整）、すなわち、フォトダイオード９の位置や姿勢の調整を行うことができる。
【００４０】
本発明では、前記長孔８４に代えて、例えば、円形の孔（貫通孔）を設けてもよい。この場合には、前記孔の直径を、螺子１１の軸部の直径より大きく、かつ、螺子１１の頭部の直径より小さく設定するのが好ましい。これにより、基板８の位置や姿勢の調整、すなわち、フォトダイオード９の位置や姿勢の調整を行うことができる。
【００４１】
なお、本発明では、前記螺子１１が挿入される孔は、前記長孔や円形の孔に限定されないことは言うまでもない。
【００４２】
一方、ピックアップベース２の底面２１の辺２１１と反対側の端部には、前記螺子（雄螺子）１１と螺合する螺子孔（雌螺子）２５が形成されている。
【００４３】
前記螺子１１を長孔８４に挿入し、螺子孔２５に螺合することにより、基板８の端部８３は、ピックアップベース２に対して固定される。
【００４４】
なお、フォトダイオード９は、基板８に接続されている図示しないフレキシブル中継基板を介して所定の回路に接続されている。
【００４５】
次に、光ピックアップ１の作用を説明する。
【００４６】
まず、基板８をピックアップベース２に設置する（取り付ける）際の手順を説明する。
【００４７】
図２および図３に示すように、基板８を把持し、その端部の面８１を係合爪２２および２３に係合させるとともに、面８２を突起２４に当接させる。これにより、基板８の一端側がピックアップベース２に支持される。
【００４８】
次いで、基板８の長孔８４をピックアップベース２の螺子孔２５の位置に位置させ、螺子１１を長孔８４に挿入し、螺子孔２５に螺合させ、基板８をピックアップベース２に仮止めする。
【００４９】
前述したように、長孔８４の長さＬは、螺子１１の軸部の直径より大きいので、この仮止めの状態では、基板８をピックアップベース２に対して移動させることができる。
【００５０】
また、前述したように、長孔８４を円形の孔（貫通孔）に代え、その孔の直径を、螺子１１の軸部の直径より大きく、かつ、螺子１１の頭部の直径より小さくした場合も、前記仮止めの状態では、基板８をピックアップベース２に対して移動させることができる。
【００５１】
次いで、基板８をピックアップベース２に対し、対物レンズ５４の光軸に垂直な方向に移動させることにより、基板８のピックアップベース２に対する位置や姿勢、すなわち、フォトダイオード９のピックアップベース２に対する位置や姿勢を調整する（Ｘ−Ｙ軸調整を行う）。この場合、基板８の一端側がピックアップベース２に支持されているので、容易に、前記調整を行うことができる。
【００５２】
次いで、螺子１１の頭部の位置を調節することにより、フォトダイオード９のピックアップベース２に対する、対物レンズ５４の光軸方向の位置を調整する（光路長調整を行う）。これより、基板８は、ピックアップベース２の底面２２にに装着される。
【００５３】
この光ピックアップ１は、光ディスク装置に搭載される。
【００５４】
記録（データの書き込み）または再生（データの読み出し）の際は、光ピックアップ１のレーザダイオードからレーザ光が発せられる。このレーザ光は、対物レンズ５４により所定のビーム径になるように集光され、回転している光ディスクに照射される。
【００５５】
そして、前記光ディスクからの反射光は、対物レンズ５４により集光され、フォトダイオード９で受光され、光電変換される。このフォトダイオード９からの信号は、所定の回路に入力され、信号処理される。
【００５６】
以上説明したように、この光ピックアップ１によれば、組み立ての際、基板８を容易にピックアップベース２に取り付けることができる。
【００５７】
また、フォトダイオード９のＸ−Ｙ軸調整や光路長調整を容易に行うことができる。
【００５８】
このため、光ピックアップ１の組み立て作業を容易に行うことができる。すなわち、生産性が良く、量産に有利である。
【００５９】
また、この光ピックアップ１では、係合爪２２、２３および突起２４と、単一の螺子１１とにより、基板８を固定するので、例えば、３本の螺子、フォトダイオードホルダー、フォトダイオードバネおよびフォトダイオードカバー等を用いて基板８を固定する場合に比べ、部品点数が少なく、これによりコストを低減することができ、また、構造が簡易である。
【００６０】
次に、本発明の光ピックアップの第２実施形態を説明する。
【００６１】
なお、前述した第１実施形態の光ピックアップ１との共通点については説明を省略し、主な相違点を説明する。
【００６２】
図４は、本発明の光ピックアップの第２実施形態における係合手段および基板を示す側面図である。
【００６３】
同図に示すように、この光ピックアップ１の係合手段は、第１の係合爪２２おおび第２の係合爪２３と、この係合爪２２と係合爪２３の間に位置する突起２６および２７とで構成されている。
【００６４】
係合爪２２と突起２６、突起２６と突起２７、突起２７と係合爪２３は、それぞれ、所定距離離間している。また、係合爪２２と突起２６の間の距離と、係合爪２３と突起２７の間の距離は、等しい。
【００６５】
また、係合爪２２、２３、突起２６および２７は、同一直線状に配置されている。
【００６６】
また、係合爪２２、２３、突起２６および２７は、ピックアップベース２に一体的に形成されている。
【００６７】
基板８の一端側は、前記係合爪２２、２３、突起２６および２７により、支持されている。すなわち、係合爪２２および２３は、それぞれ、基板８のアクチュエータベース３（ピックアップベース２）と反対側の面８１に係合し、突起２６および２７は、それぞれ、基板８のアクチュエータベース３（ピックアップベース２）側の面８２に当接し、これにより、基板８の一端側は、ピックアップベース２に支持される。
【００６８】
そして、前述した第１実施形態と同様に、基板８は、その一端側がピックアップベース２に支持された状態で、他端側（係合箇所から所定距離離間した位置）においてピックアップベース２にネジ止めされている。
【００６９】
以上説明したように、この第２実施形態の光ピックアップ１によれば、前述した第１実施形態の光ピックアップ１と同様の効果が得られる。
【００７０】
以上、本発明の光ピックアップを、図示の各実施形態に基づいて説明したが、本発明はこれらに限定されるものではなく、各部の構成は、同様の機能を有する任意の構成のものに置換することができる。
【００７１】
例えば、本発明では、基板は、ピックアップベースの側部に設置されていてもよい。
【００７２】
なお、本発明は、フォトダイオードと異なる光学素子が設けられた基板をピックアップベースに設置する（取り付ける）場合にも適用することができる。
【００７３】
【発明の効果】
以上説明したように、本発明の光ピックアップによれば、光学素子（例えば、フォトダイオード等の受光素子）が設けられた基板を容易にピックアップベースに取り付けることができ、また、前記光学素子の位置や姿勢の調整を容易に行うことができる。すなわち、光ピックアップの組み立て作業を容易に行うことができ、このため、生産性が良く、量産に有利である。
【００７４】
また、本発明によれば、部品点数が少なく、これによりコストを低減することができ、また、構造が簡易である。
【図面の簡単な説明】
【図１】本発明の光ピックアップの第１実施形態を示す斜視図である。
【図２】本発明の光ピックアップの第１実施形態を示す斜視図である。
【図３】本発明の光ピックアップの第１実施形態における係合手段および基板を示す側面図である。
【図４】本発明の光ピックアップの第２実施形態における係合手段および基板を示す側面図である。
【符号の説明】
１              光ピックアップ
２              ピックアップベース
２１            底面
２１１          辺
２２            第１の係合爪
２３            第２の係合爪
２４、２６、２７  突起
２５            螺子孔
２８、２９      案内部
３              アクチュエータベース
４              ダンパーベース
５              アクチュエータ
５ａ            固定部
５ｂ            可動部
５１            ヨーク
５２            永久磁石
５３            レンズホルダ
５３１          レンズ支持部
５４            対物レンズ
５５            トラッキングコイル
５６            フォーカシングコイル
７              サスペンションワイヤ
８              基板
８１、８２      面
８３            端部
８４            長孔
９              フォトダイオード
１１            螺子
【図１】
0004032554.tif 000002
【図２】
0004032554.tif 000003
【図３】
0004032554.tif 000004
【図４】
0004032554.tif 000005